(57)【要約】【課題】インタークーラーの冷却効率を低コストでかつ精度良く診断することができるインタークーラー診断システムを提供する。【解決手段】ディーゼルエンジン１のインテークマニホールド７に設置されたシリンダー吸気圧力センサ１５及びインタークーラー出口温度センサ１６と、吸気管３の吸入口２近傍に設置された吸気温度センサ１７と、大気圧を測定する大気圧センサ１８と、処理手段２１とから構成され、その処理手段２１は、上記４台のセンサ１５〜１８の測定値等を用いた一群の式によりインタークーラー６の冷却効率ηｃを算出し、所定値と比較することでインタークーラー６の冷却効率ηｃを診断する。【選択図】図１
2013108416.tif 000002
【特許請求の範囲】
【請求項１】
ディーゼルエンジンのインタークーラーの冷却効率を診断するインタークーラー診断システムであって、
前記ディーゼルエンジンのインテークマニホールドに設置されたシリンダー吸気圧力センサ及びインタークーラー出口温度センサと、そのインテークマニホールドに接続するインタークーラーの出口に設置されたインタークーラー出口温度センサと、吸気管の吸入口近傍に設置された吸気温度センサと、大気圧を測定する大気圧センサと、それらのセンサの測定値を処理する処理手段とを備え、
前記処理手段は、前記シリンダー吸気圧力センサの測定値Ｐ２、インタークーラー出口温度センサの測定値Ｔ３、吸気温度センサの測定値Ｔ１及び大気圧センサの測定値Ｐ１を用いて以下の（１）〜（２）式によりインタークーラーの冷却効率ηcを算出し、
前記冷却効率ηcが所定値未満であるときに前記インタークーラーの冷却効率が劣化していると診断することを特徴とするインタークーラー診断システム。
2013108416.tif 000005
但し、κ：比熱比、η：コンプレッサ効率をそれぞれ示す。
【請求項２】
前記所定値が６０〜７０％である請求項１に記載のインタークーラー診断システム。
【請求項３】
前記処理手段が前記インタークーラーの冷却効率の診断結果を通知する通知手段を備える請求項１又は２に記載のインタークーラー診断システム。
【請求項４】
請求項１〜３のいずれかに記載のインタークーラーの診断システムを搭載したことを特徴とする内燃機関。
【発明の詳細な説明】
【技術分野】
【０００１】
本発明はインタークーラー診断システムに関し、更に詳しくは、インタークーラーの冷却効率を低コストで診断することができるインタークーラー診断システムに関する。
【背景技術】
【０００２】
ディーゼルエンジンの出力増加を目的として、ターボチャージャーにより吸入空気量を増加させるとともに、そのターボチャージャーで圧縮された吸入空気をインタークーラーで冷却して吸入空気密度を高める機構が広く実用化されている（例えば、特許文献１を参照）。
【０００３】
この機構においてインタークーラーは、上述したディーゼルエンジンの出力増加のためだけでなく、適切な熱交換器の使用により省エネルギー化を進めることを規定した法律上の要請からも、高い冷却効率を有することが求められている。そのため、インタークーラーの冷却効率を診断することが重要になっている。
【０００４】
従来より、インタークーラーの冷却効率の診断は、インタークーラーの出入口にそれぞれ温度センサを設置して、それらの測定値の差とターボチャージャーにおける温度上昇分とを比較することにより実施されている。しかし、このような方法では、新たに複数台の温度センサを追加することが必要となるため、製造コストの増加を招くという問題があった。また、インタークーラーの温度センサの台数が複数になると、センサ間の位置関係や検出遅れなどに伴う補正が必要となるため、診断精度が低下するという問題もあった。
【先行技術文献】
【特許文献】
【０００５】
【特許文献１】特開２０１１−１８７７号公報
【発明の概要】
【発明が解決しようとする課題】
【０００６】
本発明の目的は、インタークーラーの冷却効率を低コストでかつ精度良く診断することができるインタークーラー診断システムを提供することにある。
【課題を解決するための手段】
【０００７】
上記の目的を達成する本発明のインタークーラー診断システムは、ディーゼルエンジンのインタークーラーの冷却効率を診断するインタークーラー診断システムであって、前記ディーゼルエンジンのインテークマニホールドに設置されたシリンダー吸気圧力センサ及びインタークーラー出口温度センサと、そのインテークマニホールドに接続するインタークーラーの出口に設置されたインタークーラー出口温度センサと、吸気管の吸入口近傍に設置された吸気温度センサと、大気圧を測定する大気圧センサと、それらのセンサの測定値を処理する処理手段とを備え、前記処理手段は、前記シリンダー吸気圧力センサの測定値Ｐ２、インタークーラー出口温度センサの測定値Ｔ３、吸気温度センサの測定値Ｔ１及び大気圧センサの測定値Ｐ１を用いて以下の（１）〜（２）式によりインタークーラーの冷却効率ηcを算出し、前記冷却効率ηcが所定値未満であるときに前記インタークーラーの冷却効率が劣化していると診断することを特徴とするものである。
2013108416.tif 000003
【０００８】
但し、κ：比熱比、η：コンプレッサ効率をそれぞれ示す。
【０００９】
インタークーラーの冷却効率を診断するための所定値としては６０〜７０％の範囲の値を用いることが望ましい。
【００１０】
また、処理手段がインタークーラーの冷却効率の診断結果を通知する通知手段を備えることで、車両の運転者などにインタークーラーの冷却効率の劣化を早期かつ確実に伝達することができる。
【００１１】
本発明のインタークーラー診断システムは、一般の内燃機関に好適に用いられる。
【発明の効果】
【００１２】
本発明のインタークーラー診断システムによれば、インタークーラーの出口に新たに１台の温度センサを設置するだけでよいので、従来よりも温度センサの台数が少なくて済むため、インタークーラーの冷却効率を低コストで診断することができる。また、温度センサが１台であるので、測定値の補正等が不要となるため診断精度を向上することができる。
【図面の簡単な説明】
【００１３】
【図１】本発明の実施形態からなるインタークーラー診断システムの構成図である。
【図２】処理手段の処理内容を示すフロー図である。
【図３】本発明の別の実施形態からなるインタークーラー診断システムの構成図である。
【発明を実施するための形態】
【００１４】
以下に、本発明の実施の形態について、図面を参照して説明する。
【００１５】
図１は、本発明の実施形態からなるインタークーラー診断システムを示す。
【００１６】
このインタークーラー診断システムが装備されるディーゼルエンジン１では、吸入口２から吸気管３内へ吸入された空気は、エアクリーナー４を通過してからターボチャージャー５により圧縮され、インタークーラー６で冷却された後にインテークマニホールド７を経て４つの気筒８のそれぞれに供給される。そして、各気筒８から燃焼ガスとなって排気管９へ排気されるが、その一部はインタークーラー６の下流側の吸気管３に接続するＥＧＲ通路１０にＥＧＲガスとなって分流する。ＥＧＲ通路１０には、水冷式のＥＧＲクーラー１１と、ＥＧＲガスの流量を調整するＥＧＲ弁１２とが、排気管９側から順に配置されている。また、ＥＧＲクーラー１１によるＥＧＲガスの過冷却を防止するために、ＥＧＲクーラー１１の出口と上流側の排気管９とを接続する排気戻し通路１３が設けられている。ＥＧＲ通路１０に分流しなかった排気ガスは、ターボチャージャー５を回転駆動させた後に、排出口１４から外部へ放出される。
【００１７】
本発明のインタークーラー診断システムは、インテークマニホールド７に設置されたシリンダー吸気圧力センサ１５と、インタークーラー６の出口に設置されたインタークーラー出口温度センサ１６と、エアクリーナー４とターボチャージャー５との間の吸気管３に設置された吸気温度センサ１７と、大気圧を測定する大気圧センサ１８と、それら４台のセンサ１５〜１８及びＥＣＵ（エンジンコントロールユニット）１９に、それぞれ信号線２０ａ〜２０ｅを通じて接続する処理手段２１とから構成されている。
【００１８】
シリンダー吸気圧力センサ１５は、インテークマニホールド７内の空気の圧力を測定する。吸気温度センサ１７は、吸入口２から吸入されてターボチャージャー５に供給される空気の温度を測定する。また、大気圧センサ１８は、ディーゼルエンジン１の近傍に設置され、ディーゼルエンジン１の周囲の大気圧を測定する。なお、シリンダー吸気圧力センサ１５、吸気温度センサ１７及び大気圧センサ１８は、ディーゼルエンジン１の運転状態を示す測定値をＥＣＵ１９に提供するために、従来から設置されているものである。
【００１９】
処理手段２１は、記憶部を備えたＣＰＵ（中央演算処理装置）から構成され、信号線２０ａ〜２０ｄを通じて４台のセンサ１５〜１８から測定値を取得する。なお、図１の例では、処理手段２１とＥＣＵ１９とを別体にしているが、処理手段２１の機能をＥＣＵ１９に持たせることで一体化するようにしてもよい。
【００２０】
このような構成を有するインタークーラー診断システムの機能を、図２に示すフロー図を基に以下に説明する。
【００２１】
処理手段２１は、対象となる運転サイクルにおいてインタークーラー６の冷却効率の診断が終了していない場合（Ｓ１０）には、シリンダー吸気圧力センサ１５の測定値Ｐ２、インタークーラー出口温度センサ１６の測定値Ｔ３、吸気温度センサ１７の測定値Ｔ１及び大気圧センサ１８の測定値Ｐ１を取得する（Ｓ２０）。
【００２２】
次に、それら取得した測定値Ｐ２、Ｔ３、Ｔ１及びＰ１を用いて、以下に示す（１）〜（２）式によりインタークーラーの冷却効率ηｃを算出する（Ｓ４０）。
2013108416.tif 000004
【００２３】
但し、κ：比熱比、η：コンプレッサ効率をそれぞれ示す。なお、コンプレッサ効率ηはターボチャージャー５の特性を示すマップデータから得ることができる。
【００２４】
そして、診断条件が成立している場合（Ｓ４０）には、インタークーラー６の冷却効率ηｃと所定値とを比較して（Ｓ５０）、冷却効率ηｃが所定値未満の場合には、インタークーラー６の冷却効率が劣化していると診断し（Ｓ６０）、反対に所定値以上の場合には、インタークーラー６の冷却効率が正常であると診断する（Ｓ７０）。なお、診断条件が成立する場合としては、ディーゼルエンジン１を搭載した車両の車速が２０ｋｍ／ｈ以上である場合などが例示される。
【００２５】
以上のように、新たにインタークーラー６の出口に温度センサを１台設置するだけでよいので、従来のように２台設置する場合に比べてインタークーラー６の冷却効率ηｃを低コストで診断することができる。また、インタークーラー６の温度センサが１台で済むので、測定値の補正等が不要となるため診断精度を向上することができる。
【００２６】
インタークーラー６の冷却効率ηｃの診断に用いる所定値は、ディーゼルエンジン１のサイズや性能により変化するが、一般的な大型車両を対象にした場合には、約６０〜７０％の範囲の値を用いることが望ましい。
【００２７】
図３は、本発明の実施形態からなるインタークーラー診断システムを示す。
【００２８】
このインタークーラー診断システムは、インタークーラー６の冷却効率ηｃの診断結果を通知する通知手段２２を、信号線２０ｆを通じて処理手段２１に接続したものである。通知手段２２としては、ディーゼルエンジン１を搭載する車両の運転席などに設置されたモニタや警報器などが例示される。
【００２９】
このように通知手段２２を設けることにより、インタークーラー６の冷却効率ηｃの劣化を、車両の運転者などに早期かつ確実に伝達することができる。
【００３０】
本発明のインタークーラー診断システムの用途は、上述したような車両のディーゼルエンジン１に限るものではなく、その他一般の内燃機関にも適用することができる。
【符号の説明】
【００３１】
１  ディーゼルエンジン
２  吸入口
３  吸気管
４  エアクリーナー
５  ターボチャージャー
６  インタークーラー
７  インテークマニホールド
８  気筒
９  排気管
１０  ＥＧＲ通路
１１  インタークーラー
１２  ＥＧＲ弁
１３  排気戻し通路
１４  排出口
１５  シリンダ吸気圧力センサ
１６  インタークーラー出口温度センサ
１７  吸気温度センサ
１８  大気圧センサ
１９  ＥＣＵ
２０ａ〜２０ｇ  信号線
２１  処理手段
２２  通知手段
【図１】
2013108416.tif 000006
【図２】
2013108416.tif 000007
【図３】
2013108416.tif 000008